(57)【要約】【課題】付属部品等を保護でき、可搬性に優れた電子機器を提供する。【解決手段】筐体の左右に取り付けられる一組の筐体支持部を備える電子機器であって、筐体支持部の外周縁部が、筐体のフロントパネル、背面、上面及び下面よりも、これらの表面から直交する方向に張り出して設けられており、筐体支持部は、少なくとも筐体のフロントパネル側の前縁部と、筐体の背面側の後縁部と、筐体の下面側の下縁部とのいずれかに、載置面に設置させた状態で静止可能な接地部が設けられ、前縁部に前側把持部が設けられ、後縁部に後側把持部が設けられている。【選択図】      図１
2017174981.tif 000002
【特許請求の範囲】
【請求項１】
筐体の左右に取り付けられる一組の筐体支持部を備える電子機器であって、
前記筐体支持部の外周縁部が、前記筐体のフロントパネル、背面、上面及び下面よりも、これらの表面から直交する方向に張り出して設けられており、
前記筐体支持部は、少なくとも前記筐体のフロントパネル側の前縁部と、前記筐体の背面側の後縁部と、前記筐体の下面側の下縁部とのいずれかに、載置面に設置させた状態で静止可能な接地部が設けられ、
前記前縁部に前側把持部が設けられ、前記後縁部に後側把持部が設けられていることを特徴とする電子機器。
【請求項２】
前記筐体支持部の下縁部は、前記フロントパネル側の前側下縁部と、前記背面側の後側下縁部とから構成され、
前記下縁部のうちの前記後側下縁部に前記接地部が設けられており、  前記前縁部と前記前側下縁部とがなす角度よりも、前記前側下縁部と前記後側下縁部とがなす角度の方が大きく設けられていることを特徴とする請求項１に記載の電子機器。
【請求項３】
前記フロントパネルと前記後側下縁部とがなす角度が鋭角に設けられていることを特徴とする請求項２に記載の電子機器。
【請求項４】
前記筐体支持部には、左右方向の側面を窪ませた凹部が設けられており、該凹部に前記筐体内部の換気を行う複数の通気孔が設けられていることを特徴とする請求項１から３のいずれか一項に記載の電子機器。
【請求項５】
前記前側把持部には、左右方向に貫通する前側貫通孔が設けられ、前記後側把持部には、左右方向に貫通する後側貫通孔が設けられていることを特徴とする請求項１から４のいずれか一項に記載の電子機器。
【発明の詳細な説明】
【技術分野】
【０００１】
本発明は、ミキサ装置やレコード装置等の電子機器に関する。
【背景技術】
【０００２】
ＰＡ（Ｐｕｂｌｉｃ  Ａｄｄｒｅｓｓ）、ＳＲ（Ｓｏｕｎｄ  Ｒｅｉｎｆｏｒｃｅｍｅｎｔ）等に使われる業務用オーディオ・パワーアンプ等の電子機器は、ホール、劇場、宴会場などの恒久的設備や、ライブ、イベント等のための仮設会場で使用される。また、このような電子機器は、一般に、電源、冷却用ファン等を備え、比較的重量が大きいことから、例えば特許文献１及び非特許文献１〜３に開示されるように、筐体の一部にハンドル（取っ手）等を備え、このハンドルを握って容易に持ち運びができるようになっている。
【先行技術文献】
【特許文献】
【０００３】
【特許文献１】特許第４８３１０００号公報
【非特許文献】
【０００４】
【非特許文献１】Ｙｏｒｋｖｉｌｌｅ  Ｓｏｕｎｄ，Ｍ８１０−２，インターネット＜ＵＲＬ：http://yorkville.com/mixers/micromix/product/m810-2/＞
【非特許文献２】Ｙｏｒｋｖｉｌｅ  Ｓｏｕｎｄ，Ｍ１６１０−２，インターネット＜ＵＲＬ：http://yorkville.com/mixers/micromix/product/m1610-2/＞
【非特許文献３】ヤマハ株式会社、パワードミキサーＥＭＸ５１２ＳＣ、インターネット＜ＵＲＬ：http://www.yamahaproaudio.com/japan/ja/products/mixers/emx_box/photos.jsp＞
【発明の概要】
【発明が解決しようとする課題】
【０００５】
非特許文献３に開示される電子機器は、ハンドルが筐体の背面側の左右に設けられており、ユーザがハンドルを掴んで電子機器を持ち運ぶ際には、筐体の背面が上側に向けられて運ばれる。このため、電子機器を設置する際に、下側に向いたフロントパネルを載置面と接触させやすい。また、電子機器は比較的重量が大きいことから、設置の際に誤って前方に転倒させてしまった場合等にフロントパネルを載置面と接触させやすい。このように、フロントパネルを載置面と接触させた場合には、その衝突によりフロントパネルに設けられた操作子等の部品を破損させるおそれがある。
【０００６】
一方、特許文献１、非特許文献１及び非特許文献２に開示される電子機器においては、ハンドルがフロントパネルの左右に設けられていることから、ユーザがハンドルを掴んで電子機器を持ち運ぶ際には、フロントパネルが上側に向けられて運ばれる。このため、電子機器を設置する際に、下側に向いた背面を載置面と接触させやすい。一般に、電子機器の背面には電源プラグの差込口等が設置されることから、電源ケーブルを接続した状態で背面側のハンドルを掴んで持ち運びをした際には、電子機器の載置面への設置の際に、電源ケーブルを載置面と電子機器との間に挟むおそれがある。また、重量の大きい電子機器を片手で支えながら、電源ケーブルを載置面との間に挟まれないようにしながらの載置作業は、煩雑である。
このように、ハンドルを電子機器のフロントパネル側、又は背面側のいずれに設けた場合であっても、それぞれに課題があった。
【０００７】
本発明は、このような事情に鑑みてなされたもので、付属部品等を保護でき、可搬性に優れた電子機器を提供することを目的とする。
【課題を解決するための手段】
【０００８】
本発明は、筐体の左右に取り付けられる一組の筐体支持部を備える電子機器であって、前記筐体支持部の外周縁部が、前記筐体のフロントパネル、背面、上面及び下面よりも、これらの表面から直交する方向に張り出して設けられており、前記筐体支持部は、少なくとも前記筐体のフロントパネル側の前縁部と、前記筐体の背面側の後縁部と、前記筐体の下面側の下縁部とのいずれかに、載置面に設置させた状態で静止可能な接地部が設けられ、前記前縁部に前側把持部が設けられ、前記後縁部に後側把持部が設けられている。
【０００９】
筐体支持部の外周縁部は、筐体の前後に配置されるフロントパネル及び背面、上下に配置される上面及び下面よりも張り出して設けられているので、テーブルの上面等の載置面に対して電子機器を前後及び上下のいずれの方向を向けた姿勢で載置させたとしても、筐体と載置面とを接触させることなく電子機器を設置できる。このように、電子機器は、筐体支持部により保護されるので、筐体に設けられた操作子や電源プラグ、繋がれたケーブル等の付属部品と載置面との衝突により生じる破損を防止でき、これらの付属部品を確実に保護できる。
また、筐体支持部は、筐体の前後及び上下の外周部よりも張り出して設けられていることから、電子機器を載置面に設置させた状態で転がしても、付属部品を載置面に衝突させることなく、姿勢を変更することができる。このため、ユーザは、電子機器を持ち上げるときのように大きな力を必要とせずに、電子機器を転がして姿勢を容易に変更できる。さらに、筐体支持部には、フロントパネル側の前側把持部と、背面側の後側把持部とが設けられているので、これらの前側把持部と後側把持部とを掴むことで、電子機器を容易に転がして姿勢を変更することができる。
また、筐体支持部は、少なくともフロントパネル側の前縁部と、背面側の後縁部と、下面側の下縁部とのいずれかの接地部を載置面に設置させた状態で静止可能に設けられている。このうちの前縁部に接地部を設けた場合では、フロントパネルが下方に向けられた状態を維持でき、電子機器の保管時等に、操作子や入出力端子等の部品の隙間に埃が付着することを防止できる。また、後縁部に接地部を設けた場合では、電子機器のフロントパネルが上方に向けられた状態を維持でき、この状態で使用することができる。そして、下縁部に接地部を設けた場合では、電子機器のフロントパネルを前方に向けられた状態を維持でき、通常は、この状態で使用される。
【００１０】
本発明の電子機器において、前記筐体支持部の下縁部は、前記フロントパネル側の前側下縁部と、前記背面側の後側下縁部とから構成され、前記下縁部のうちの前記後側下縁部に前記接地部が設けられており、前記前縁部と前記前側下縁部とがなす角度よりも、前記前側下縁部と前記後側下縁部とがなす角度の方が大きく設けられているとよい。
【００１１】
この電子機器は、後側下縁部の接地部を載置面に設置させた状態で静止可能に設けられている。また、筐体支持部の下縁部を前側下縁部と後側下縁部との二辺で形成しており、筐体支持部の外周縁部を構成する辺の数を多くしているので、下縁部を一辺で形成して筐体支持部の外周縁部を矩形で形成した場合よりも、隣接する辺どうしがなす角度を大きく形成できる。このように、隣接する辺どうしがなす角度を大きく形成することで、電子機器を転がしやすくでき、転がした際の衝撃を抑制することができる。
また、例えば後側把持部を掴んで電子機器を持ち運びした際には、まずは筐体支持部の前側に配置された前側下縁部を載置面に設置させた後に、後方に傾けて後側下縁部を設置できる等、載置作業を円滑に行うことができる。なお、最初に前縁部を載置面に設置させた場合でも、前縁部から前側下縁部、前側下縁部から後側下縁部という具合に、筐体支持部の各辺を順に載置面に設置させて転がすことで、電子機器を容易に所望の姿勢に配置できる。
【００１２】
本発明の電子機器において、前記フロントパネルと前記後側下縁部とがなす角度が鋭角に設けられているとよい。
【００１３】
この電子機器は、後側下縁部の接地部を載置面に設置させた状態で静止可能に設けられており、後側下縁部の接地部を載置面に設置すると、フロントパネルは斜め上方を向いて配置されるので、フロントパネルを前方に加えて上方からも視認しやすくすることができる。
【００１４】
本発明の電子機器において、前記筐体支持部には、左右方向の側面を窪ませた凹部が設けられており、該凹部に前記筐体内部の換気を行う複数の通気孔が設けられているとよい。
【００１５】
電子機器の左右方向の側面、すなわち筐体支持部を壁際に近づけて載置した場合でも、通気孔を凹部に設けているので、通気孔の開口と壁との間に一定の隙間を確保できる。このように、通気孔が壁等によって塞がれることがないので、良好な放熱性能を維持できる。
【００１６】
本発明の電子機器において、前記前側把持部には、左右方向に貫通する前側貫通孔が設けられ、前記後側把持部には、左右方向に貫通する後側貫通孔が設けられているとよい。
【００１７】
前側貫通孔や後側貫通孔に指先を挿入できるので、前側把持部及び後側把持部を握り易くできる。したがって、比較的重量の大きい電子機器であっても、容易に持ち上げることができ、安全に持ち運ぶことができる。
また、フロントパネルに装着したケーブルを前側貫通孔に通すことで、ケーブルを束ねて背面側に円滑に案内することができるので、ケーブルを容易に整理することができる。
【発明の効果】
【００１８】
本発明によれば、一組の筐体支持部を設けることにより、付属部品等を保護でき、電子機器の可搬性を向上させることができる。
【図面の簡単な説明】
【００１９】
【図１】本発明の実施形態に係るミキサ装置全体を示す斜視図である。
【図２】図１に示すミキサ装置を背面側から見た斜視図である。
【図３】図１に示すミキサ装置の正面図である。
【図４】図１に示すミキサ装置の下側面図である。
【図５】図１に示すミキサ装置の左側面図である。
【図６】図１に示すミキサ装置の右側面図である。
【図７】ミキサ装置の筐体と筐体支持部との着脱を説明する分解図である。
【図８】筐体支持部の後側下縁部の接地部を載置面に設置させた状態を示すミキサ装置の左側面図である。
【発明を実施するための形態】
【００２０】
以下、本発明の実施形態を図面を参照して説明する。
図１〜図７は、本発明の実施形態に係る電子機器を示す図であり、いわゆるミキサ装置として構成されるものである。以下、このミキサ装置１００を例に説明を行う。
ミキサ装置１００は、図１に示すように、前後、上下及び左右を囲まれた筐体１と、この筐体１の左右に取り付けられる一組の筐体支持部６Ｌ，６Ｒとを備える。筐体１は、内部に回路基板等が収容される箱状のベース２と、ベース２の背面に取り付けられて電源基板が収容される電源ボックス３と、複数の操作子１１及び入出力端子１２，１３等の部品が設けられた操作面４１を有するフロントパネル４とを備える。フロントパネル４は、ベース２の開口部に被せられるようにして取り付けられる。
【００２１】
なお、操作面４１に設けられた操作子１１及び入出力端子１２，１３等の部品は、筐体１の内部に収容される回路基板上に取り付けられており、操作面４１には、これらの部品を露出させるための複数の孔部が形成されている。また、操作子１１及び入出力端子１２，１３等の部品は、概ね操作面４１の全面に設けられるが、図面では一部のみ記載し、他の部分は破線で省略した。また、図示は省略するが、ミキサ装置１００は、入出力端子１２，１３にオーディオケーブル等を着脱自在に接続し、このオーディオケーブル等を介して他の電子音響機器に接続された状態で使用される。
【００２２】
以降の説明では、フロントパネル４が配置された操作面４１側をミキサ装置１００の前側（正面側）、電源ボックス３が配置された側をミキサ装置１００の後側（背面側）とし、ミキサ装置１００の前側から後側を向いた左方向をミキサ装置１００の左側、右方向をミキサ装置１００の右側とする。
【００２３】
ベース２は、背面板２０ａと側面板２０ｂ〜２０ｅとで囲まれた一面を開口した有底の箱状に設けられ、前側を開放する形状に形成されている。なお、ベース２の背面板２０ａと側面板２０ｂ〜２０ｅとはそれぞれが別体に形成され、組み合わされて構成されているが、それぞれを一体に形成してもよい。そして、フロントパネル４は、ベース２の前側を塞ぐようにしてベース２に被せられるように取り付けられる。
また、図示は省略するが、ベース２の左側面板２０ｄと右側面板２０ｅとには、それぞれに複数のねじ穴が形成されており、一組の筐体支持部６Ｌ，６Ｒは、これらねじ穴と取付ねじとの締結により、筐体１に着脱可能に取り付けられる。
【００２４】
電源ボックス３は、背面板３０ａと側面板３０ｂ〜３０ｅとで囲まれた一面を開口した有底の箱状に設けられ、前側を開放する形状に形成されている。そして、電源ボックス３は、その前側の開口を塞ぐようにして、ベース２の背面板２０ａに取り付けられる。また、電源ボックス３の上面側の上側面板３０ｂには、電源プラグの差込口１４が設けられている。なお、電源ボックス３の背面板３０ａと側面板３０ｂ〜３０ｅとはそれぞれが別体に形成され、組み合わされて構成されているが、それぞれを一体に形成してもよい。
【００２５】
一組の筐体支持部６Ｌ，６Ｒは、図１〜図６に示すように、筐体１に取り付けた状態において、その外周縁部６１〜６４が、それぞれ筐体１の前面のフロントパネル４、背面の背面板２０ａ及び背面板３０ａ、上面の上側面板２０ｂ及び上側面板３０ｂ、下面の下側面板２０ｃ及び下側側面板３０ｃよりも、これらの表面から直交する方向に張り出して設けられており、載置面に対してミキサ装置１００を前後及び上下のいずれの方向を向けた姿勢で載置させたとしても、筐体１と載置面とを接触させることなく載置可能に設けられている。
【００２６】
具体的には、筐体１のフロントパネル４側に配置される前縁部６１が、操作面４１に取り付けられた操作子１１等の付属部品よりも大きく張り出して設けられ、筐体１の背面側に配置される後縁部６２が、ベース２の背面板２０ａ及び電源ボックス３の背面板３０ａよりも張り出して設けられている。また、筐体支持部６Ｌ，６Ｒの上縁部６３がベース２の上側面板２０ｂ及び電源ボックス３の上側面板３０ｂよりも張り出して設けられ、下縁部６４がベース２の下側面板２０ｃ及び電源ボックス３の下側面板３０ｃよりも張り出して設けられている。さらに、下縁部６４は、フロントパネル４側の前側下縁部６４Ａと、背面板２０ａ側の後側下縁部６４Ｂとから構成されており、上縁部６３は、フロントパネル４側の前側上縁部６３Ａと、背面板２０ａ側の後側上縁部６３Ｂとから構成されている。このように、各筐体支持部６Ｌ，６Ｒの外周縁部６１〜６４は、６辺で構成された六角形とされ、上下方向に対称に設けられている。なお、前側上縁部６３Ａ及び前側下縁部６４Ａは、それぞれ後側上縁部６３Ｂと後側下縁部６４Ｂよりも長く形成されている。
【００２７】
そして、一組の筐体支持部６Ｌ，６Ｒは、これらの外周縁部６１〜６４のうちの少なくとも前縁部６１と、後縁部６２と、下縁部６４の後側下縁部６４Ｂとのいずれかに、載置面に設置させた状態でミキサ装置１００を静止可能な接地部６１ｓ，６２ｓ，６４ｓが設けられている。
なお、前縁部６１及びその接地部６１ｓは、フロントパネル４の面方向と平行に設けられ、前縁部６１の接地部６１ｓを載置面に設置させた状態では、ミキサ装置１００はフロントパネル４を下方に向けた状態に維持される。また、後縁部６２及びその接地部６２ｓは、背面板２０ａ及びフロントパネル４の面方向と平行に設けられており、後縁部６２の接地部６２ｓを載置面に設置させた状態では、ミキサ装置１００はフロントパネル４を上方に向けた状態に維持される。
【００２８】
また、フロントパネル４と後側下縁部６４Ｂとがなす角度αが鋭角に設けられており、後側下縁部６４Ｂは、フロントパネル４から離れるにつれて上方に向かう上り勾配の傾斜面により形成されている。このため、後側下縁部６４Ｂの接地部６４ｓを載置面に設置させた状態では、ミキサ装置１００はフロントパネル４が斜め上方を向けた状態に維持される。なお、本実施形態のミキサ装置１００においては、フロントパネル４の面方向と前縁部６１及びその接地部６１ｓとが平行に設けられていることから、前縁部６１と後側下縁部６４Ｂとがなす角度も角度αとなる。また、前縁部６１と前側下縁部６４Ａとがなす角度βは、角度αよりも大きく設けられており、図示例では、前縁部６１から離れるにつれて下方に向かう下り勾配の傾斜面により形成されている。そして、この角度βよりも、前側下縁部６４Ａと後側下縁部６４Ｂとがなす角度γの方が大きく設けられている。
なお、上縁部６３は、下縁部６４と上下対称の形状とされており、フロントパネル４又は前縁部６１と後側上縁部６３Ｂとがなす角度がα、フロントパネル４又は前縁部６１と前側上縁部６３Ａとがなす角度がβ、前側上縁部６３Ａと後側上縁部６３Ｂとがなす角度がγとされる。
【００２９】
また、各筐体支持部６Ｌ，６Ｒには、それぞれ前縁部６１に前側把持部６５が設けられ、後縁部６２に後側把持部６６が設けられている。そして、前側把持部６５には、左右方向に貫通する前側貫通孔６５ｈが設けられ、後側把持部６６にも、左右方向に貫通する後側貫通孔６６ｈが設けられている。このように、前側把持部６５と後側把持部６６に、前側貫通孔６５ｈと後側貫通孔６６ｈとを設けておくことで、これら前側貫通孔６５ｈ及び後側貫通孔６６ｈに指先を挿入できるので、前側把持部６５及び後側把持部６６を握り易くできる。
【００３０】
また、前側貫通孔６５ｈに、図１に白抜き矢印で示すように、フロントパネル４の入出力端子１２，１３等に装着したケーブルを通して、複数のケーブルを束ねることができる。このように、ケーブルを前側貫通孔６５ｈに通すことで、ケーブルを束ねて背面側に円滑に案内することができるので、ケーブルを容易に整理することができる。
【００３１】
さらに、ミキサ装置１００においては、図１及び図２に示すように、一組の筐体支持部６Ｌ，６Ｒに、左右方向の側面を窪ませた凹部６７が設けられており、凹部６７に筐体１内部の換気を行う複数の通気孔６８が設けられている。このように、筐体支持部６Ｌ，６Ｒの側面に凹部６７を設けることで、ミキサ装置１００の左右方向の側面、すなわち筐体支持部６Ｌ，６Ｒを壁際に近づけて載置した場合でも、通気孔６８の開口と壁との間に一定の隙間を確保できる。このように、通気孔６８が壁等によって塞がれることがないので、良好な放熱性能を維持できる。
【００３２】
なお、本実施形態のミキサ装置１００においては、左右の筐体支持部６Ｌ，６Ｒは、同一の形状で形成されており、左側の筐体支持部６Ｌを上下逆向きに配置すると、右側の筐体支持部６Ｒとして使用することができる。同様に、右側の筐体支持部６Ｒを上下逆向きに配置することで、左側の筐体支持部６Ｌとして使用することができる。
【００３３】
以上のように構成されるミキサ装置１００においては、筐体支持部６Ｌ，６Ｒの外周縁部が、筐体１の前後に配置されるフロントパネル４、背面板２０ａ及び電源ボックス３、上下に配置される上側面板２０ｂ及び下側面板２０ｃよりも張り出して設けられ、テーブルの上面等の載置面に対してミキサ装置１００を前後及び上下のいずれの方向を向けた姿勢で載置させたとしても、筐体１と載置面とを接触させることなくミキサ装置１００を設置できる。このように、ミキサ装置１００は、筐体支持部６Ｌ，６Ｒにより保護されるので、筐体１に設けられた操作子１１や入出力端子１２，１３、電源プラグの差込口１４等に繋がれたケーブル等の付属部品と載置面との衝突により生じる破損を防止でき、これらの付属部品を確実に保護できる。
【００３４】
また、上述したように、筐体支持部６Ｌ，６Ｒは、筐体１の前後及び上下の外周部よりも張り出して設けられていることから、ミキサ装置１００を載置面に設置させた状態で転がしても、付属部品を載置面に衝突させることなく、姿勢を変更することができる。このため、ユーザは、ミキサ装置１００を持ち上げるときのように大きな力を必要とせずに、ミキサ装置１００を転がして姿勢を容易に変更できる。さらに、筐体支持部６Ｌ，６Ｒには、フロントパネル４側の前側把持部６５と、背面側の後側把持部６６とが設けられているので、これらの前側把持部６５と後側把持部６６とを掴むことで、ミキサ装置１００を持ち上げて容易に運ぶことができ、ミキサ装置１００を載置面に設置した後にも容易に転がして姿勢を変更することができる。
【００３５】
また、筐体支持部６Ｌ，６Ｒは、フロントパネル４側の前縁部６１と、背面側の後縁部６２と、下面側の下縁部６４（後側下縁部６４Ｂ）とに設けられた接地部６１ｓ，６２ｓ，４ｓを載置面に設置させた状態で静止可能に設けられている。このうちの前縁部６１の接地部６１ｓを載置面に設置させた場合には、ミキサ装置１００をフロントパネル４が下方に向けられた状態を維持できる。このため、ミキサ装置１００の保管時等に、操作子１１や入出力端子１２，１３等の部品の隙間に埃が付着することを防止できる。また、後縁部６２の接地部６２ｓを載置面に設置させた場合には、ミキサ装置１００のフロントパネル４が上方に向けられた状態を維持でき、この状態で使用することができる。さらに、図８に示すように、下縁部６４の後側下縁部６４Ｂの接地部６４ｓを載置面９０に設置させた場合には、フロントパネル４は斜め上方を向いて配置されるので、フロントパネル４を前方からの視認に加えて、上方からの視認をしやすくすることができる。
【００３６】
また、ミキサ装置１００では、筐体支持部６Ｌ，６Ｒの下縁部６４を前側下縁部６４Ａと後側下縁部６４Ｂとの二辺で形成しており、筐体支持部６Ｌ，６Ｒの外周縁部を構成する辺の数を多くしているので、下縁部を一辺で形成して筐体支持部の外周縁部を矩形で形成した場合よりも、隣接する辺どうしがなす角度を大きく形成できる。このように、隣接する辺どうしがなす角度を大きく形成することで、ミキサ装置１００を転がしやすくでき、転がした際の衝撃を抑制することができる。
したがって、例えば後側把持部６６を掴んでミキサ装置１００を持ち運びした際には、まずは筐体支持部６Ｌ，６Ｒの前側に配置された前側下縁部６４Ａを載置面に設置させた後に、後方に傾けて後側下縁部６４Ｂを設置できる等、載置作業を円滑に行うことができる。なお、最初に前縁部６１を載置面に設置させた場合でも、前縁部６１から前側下縁部６４Ａ、前側下縁部６４Ａから後側下縁部６４Ｂという具合に、筐体支持部６Ｌ，６Ｒの各辺を順に載置面に設置させて転がすことで、ミキサ装置１００を容易に所望の姿勢に配置できる。
【００３７】
そして、前側把持部６５と後側把持部６６には、それぞれ左右方向に貫通する前側貫通孔６５ｈと後側貫通孔６６ｈとが設けられ、ミキサ装置１００を持ち運ぶ際に前側貫通孔６５ｈ及び後側貫通孔６６ｈに指先を挿入できるので、前側把持部６５及び後側把持部６６を握り易くできる。したがって、比較的重量の大きいミキサ装置１００であっても、容易に持ち上げることができ、安全に持ち運ぶことができる。
【００３８】
なお、本発明は上記実施形態に限定されるものではなく、本発明の趣旨を逸脱しない範囲において種々の変更を加えることが可能である。
【符号の説明】
【００３９】
１…筐体、２…ベース、３…電源ボックス、４…フロントパネル、６Ｌ，６Ｒ…筐体支持部、４１…操作面、６１…前縁部、６１ｓ…接地部、６２…後縁部、６２ｓ…接地部、６３…上縁部、６３Ａ…前側上縁部、６３Ｂ…後側上縁部、６３ｓ…接地部、６４…下縁部、６４Ａ…前側下縁部、６４Ｂ…後側下縁部、６５…前側把持部、６５ｈ…前側貫通孔、６６…後側把持部、６６ｈ…後側貫通孔、６７…凹部、６８…通気孔、１００…ミキサ装置（電子機器）
【図１】
2017174981.tif 000003
【図２】
2017174981.tif 000004
【図３】
2017174981.tif 000005
【図４】
2017174981.tif 000006
【図５】
2017174981.tif 000007
【図６】
2017174981.tif 000008
【図７】
2017174981.tif 000009
【図８】
2017174981.tif 000010